(57)【要約】【課題】単語学習効率を向上させることが可能な単語学習支援装置、単語学習支援プログラム、単語学習支援方法を提供する。【解決手段】単語の音声データを再生出力すると共に当該単語のスペルを問う出題手段１１０、マイク及び前記マイクによって取り込まれた音声信号から1字ずつ文字を認識する文字認識手段１１１を備える。そしてデータベース１２に記憶されている単語のスペル情報と照合することにより、文字認識手段１１１により認識された文字によって特定される文字列（スペル）に関し、スペルの正誤判定を行う第１正誤判定手段１１２と、判定結果を提示する第１提示手段１１３とを有する。【選択図】図１
2018066968.tif 000002
【特許請求の範囲】
【請求項１】
単語の音声データを再生出力すると共に当該単語のスペルを問う出題手段、
マイク及び前記マイクによって取り込まれた音声信号から1字ずつ文字を認識する文字認識手段と、
前記文字認識手段により認識された文字によって特定される文字列（スペル）に関し、データベースに記憶されている単語のスペル情報と照合することにより、スペルの正誤判定を行う第１正誤判定手段と、
前記第１正誤判定手段による判定結果を提示する第１提示手段と、
を有することを特徴とする単語学習支援装置。
【請求項２】
単語の音声データを再生出力すると共に当該単語のスペルを問う出題手段と、
文字入力キーによって入力された文字列を認識する入力文字列認識手段と、
前記入力文字列認識ステップにより認識された文字列（スペル）に関し、データベースに記憶されている単語のスペル情報と照合することにより、スペルの正誤判定を行う第２正誤判定手段と、
前記第２正誤判定手段による判定結果を提示する第２提示手段と、
を有することを特徴とする単語学習支援装置。
【請求項３】
前記出題手段は、前記単語の音声データを再生出力すると共に、又は、前記単語の音声データに代えて、前記単語を表す画像を表示して当該単語のスペルを問うことを特徴とする請求項１又は２に記載の単語学習支援装置。
【請求項４】
前記データベースは、複数の単語のスペル情報と、各前記単語の音声データと、前記単語のスペルを構成する各文字の音声データを対応付けて記憶しており、
前記データベースに記憶された単語を順番に、又は、ランダムに選択する選択手段と、
前記選択手段により選択された前記単語の音声データを含む当該単語のスペルを問う発問音声データと、前記単語のスペルを構成する各文字の音声データとを、再生出力する再生出力手段と、
前記選択手段における前記単語の選択と、前記再生出力手段における前記発問音声データと、前記単語のスペルを構成する各文字の音声データの再生出力とから成る一連の選択再生動作が、繰り返し実行されるように制御する実行制御手段と、
を有することを特徴とする請求項１乃至３のいずれか一項に記載の単語学習支援装置。
【請求項５】
コンピュータを、請求項1乃至４のいずれか一項に記載の単語学習支援装置として機能させることを特徴とする単語学習支援プログラム。
【請求項６】
単語の音声データを再生出力すると共に当該単語のスペルを問う出題ステップと、
マイク及び前記マイクによって取り込まれた音声信号から1字ずつ文字を認識する文字認識ステップと、
前記文字認識ステップにより認識された文字によって特定される文字列（スペル）に関し、データベースに記憶されている単語のスペル情報と照合することにより、スペルの正誤判定を行う第１正誤判定ステップと、
前記第１正誤判定ステップによる判定結果を提示する第１提示ステップと、
を有することを特徴とする単語学習支援方法。
【請求項７】
単語の音声データを再生出力すると共に当該単語のスペルを問う出題ステップと、
文字入力キーによって入力された文字列を認識する入力文字列認識ステップと、
前記入力文字列認識ステップにより認識された文字列（スペル）を、データベースに記憶されている単語のスペル情報と照合することにより、前記単語のスペル情報と照合して、スペルの正誤判定を行う第２正誤判定ステップと、
前記第２正誤判定ステップによる判定結果を提示する第２提示ステップと、
を有することを特徴とする請求項６に記載の単語学習支援方法。
【請求項８】
前記出題ステップにて、前記単語の音声データを再生出力すると共に、又は、前記単語の音声データに代えて、前記単語を表す画像を表示して当該単語のスペルを問うことを特徴とする請求項６又は７に記載の単語学習支援方法。
【請求項９】
前記データベースは、複数の単語のスペル情報と、各前記単語の音声データと、前記単語のスペルを構成する各文字の音声データを対応付けて記憶しており、
前記データベースに記憶された単語を順番に、又は、ランダムに選択する選択ステップと、
前記選択ステップにより選択された前記単語の音声データを含む当該単語のスペルを問う発問音声データと、前記単語のスペルを構成する各文字の音声データとを、再生出力する再生出力ステップと、
前記選択ステップにおける前記単語の選択と、前記再生出力ステップにおける前記発問音声データと、前記単語のスペルを構成する各文字の音声データの再生出力とから成る一連の選択再生動作が、繰り返し実行されるように制御する実行制御ステップと、
を有することを特徴とする請求項６乃至８のいずれか一項に記載の単語学習支援方法。
【発明の詳細な説明】
【技術分野】
【０００１】
本発明は、英語等の外国語の単語学習支援プログラム、単語学習支援方法に関し、特に、単語のスペルを一文字ずつ学習することにより、単語学習効率を向上させることが可能な単語学習支援装置、単語学習支援プログラム、単語学習支援方法に関する。
【背景技術】
【０００２】
従来、外国語を学習するツールとして、例えば英単語とその意味をカード状の紙の表と裏に記入して束にした単語帳が使用されていた。
近年、単語とその意味を電子データとして記憶し、前記単語帳と同様の単語学習を行わせるものが考えられている。その１つとして、例えば、特許文献１に開示されるような、電子辞書と別体の携帯型表示装置に当該電子辞書から辞書のデータを取り込み、その携帯型表示装置によって、取り込んだ辞書のデータをユーザの手元で表示させたり、発音の音声をイヤホンから出力させたりすることで、携帯性良く単語を学習できる電子辞書装置がある。
【先行技術文献】
【特許文献】
【０００３】
【特許文献１】特開２００９−２６６０２４号公報
【発明の概要】
【発明が解決しようとする課題】
【０００４】
しかしながら、電子データとして記憶した複数の単語とその意味を、単に順番に切り替えて出力させるだけでなく、単語学習効率をさらに向上させたいという要望がある。
【０００５】
本発明は、このような問題等に鑑みて、単語学習効率を向上させることが可能な単語学習支援装置、単語学習支援プログラム、単語学習支援方法を提供することを目的とする。
【課題を解決するための手段】
【０００６】
本発明の単語学習支援装置は、単語の音声データを再生出力すると共に当該単語のスペルを問う出題手段、マイク及び前記マイクによって取り込まれた音声信号から1字ずつ文字を認識する文字認識手段と、前記文字認識手段により認識された文字によって特定される文字列（スペル）に関し、データベースに記憶されている単語のスペル情報と照合することにより、スペルの正誤判定を行う第１正誤判定手段と、前記第１正誤判定手段による判定結果を提示する第１提示手段と、を有することを特徴とする。
【０００７】
本発明の単語学習支援装置は、単語の音声データを再生出力すると共に当該単語のスペルを問う出題手段と、文字入力キーによって入力された文字列を認識する入力文字列認識手段と、前記入力文字列認識ステップにより認識された文字列（スペル）に関し、データベースに記憶されている単語のスペル情報と照合することにより、スペルの正誤判定を行う第２正誤判定手段と、前記第２正誤判定手段による判定結果を提示する第２提示手段と、を有することを特徴とする。
【０００８】
前記出題手段は、前記単語の音声データを再生出力すると共に、又は、前記単語の音声データに代えて、前記単語を表す画像を表示して当該単語のスペルを問うよう構成してもよい
【０００９】
前記データベースは、複数の単語のスペル情報と、各前記単語の音声データと、前記単語のスペルを構成する各文字の音声データを対応付けて記憶しており、前記データベースに記憶された単語を順番に、又は、ランダムに選択する選択手段と、前記選択手段により選択された前記単語の音声データを含む当該単語のスペルを問う発問音声データと、前記単語のスペルを構成する各文字の音声データとを、再生出力する再生出力手段と、前記選択手段における前記単語の選択と、前記再生出力手段における前記発問音声データと、前記単語のスペルを構成する各文字の音声データの再生出力とから成る一連の選択再生動作が、繰り返し実行されるように制御する実行制御手段と、を有するよう構成してもよい
【００１０】
本発明の単語学習支援プログラムは、コンピュータを、前記単語学習支援装置として機能させることを特徴とする。
【００１１】
本発明の単語学習支援方法は、単語の音声データを再生出力すると共に当該単語のスペルを問う出題ステップと、マイク及び前記マイクによって取り込まれた音声信号から1字ずつ文字を認識する文字認識ステップと、前記文字認識ステップにより認識された文字によって特定される文字列（スペル）に関し、データベースに記憶されている単語のスペル情報と照合することにより、スペルの正誤判定を行う第１正誤判定ステップと、前記第１正誤判定ステップによる判定結果を提示する第１提示ステップと、を有することを特徴とする。
【００１２】
本発明の単語学習支援方法は、単語の音声データを再生出力すると共に当該単語のスペルを問う出題ステップと、文字入力キーによって入力された文字列を認識する入力文字列認識ステップと、前記入力文字列認識ステップにより認識された文字列（スペル）を、データベースに記憶されている単語のスペル情報と照合することにより、前記単語のスペル情報と照合して、スペルの正誤判定を行う第２正誤判定ステップと、前記第２正誤判定ステップによる判定結果を提示する第２提示ステップと、を有することを特徴とする。
【００１３】
前記出題ステップにて、前記単語の音声データを再生出力すると共に、又は、前記単語の音声データに代えて、前記単語を表す画像を表示して当該単語のスペルを問うよう構成してもよい。
【００１４】
前記データベースは、複数の単語のスペル情報と、各前記単語の音声データと、前記単語のスペルを構成する各文字の音声データを対応付けて記憶しており、前記データベースに記憶された単語を順番に、又は、ランダムに選択する選択ステップと、前記選択ステップにより選択された前記単語の音声データを含む当該単語のスペルを問う発問音声データと、前記単語のスペルを構成する各文字の音声データとを、再生出力する再生出力ステップと、前記選択ステップにおける前記単語の選択と、前記再生出力ステップにおける前記発問音声データと、前記単語のスペルを構成する各文字の音声データの再生出力とから成る一連の選択再生動作が、繰り返し実行されるように制御する実行制御ステップと、を有するよう構成してもよい。
【発明の効果】
【００１５】
本発明によれば、単語学習効率を向上させることが可能な単語学習支援装置、単語学習支援プログラム、単語学習支援方法を提供することができる。
【図面の簡単な説明】
【００１６】
【図１】第１実施形態における本発明の単語学習支援装置１０の構成を概略的に示すブロック図である。
【図２Ａ】単語学習支援装置１０の正面図の一例である。
【図２Ｂ】単語学習支援装置１０の底面図の一例である。
【図３Ａ】単語データベース１２１に記憶された単語データを示す図である。
【図３Ｂ】文字波形データベース１２２に記憶された文字波形データを示す図である。
【図４】第１実施形態における単語学習支援装置１０の単語学習支援処理に伴う表示動作を示す図である。
【図５】第１実施形態における単語学習支援装置１０の単語学習支援処理に伴う表示動作を示す図である。
【図６】単語学習支援装置１０の制御部１１による単語学習支援処理動作例を説明するためのフローチャートである。
【図７】第２実施形態における本発明の単語学習支援装置２０の構成を概略的に示すブロック図である。
【図８】第２実施形態における単語学習支援装置２０の単語学習支援処理に伴う表示動作を示す図である。
【図９】単語学習支援装置２０の制御部２１による単語学習支援処理動作例を説明するためのフローチャートである。
【図１０】単語データベース２２１を示す図である。
【図１１】連続再生学習モードの単語学習支援処理に伴う表示動作を示す図である。
【発明を実施するための形態】
【００１７】
以下、本発明の実施の形態を説明する。なお、ここではスマートフォン等の携帯端末に本発明の単語学習支援装置を適用する場合について説明する。
第１実施形態の単語学習支援装置１０は、マイク１４ａ及びマイク１４ａによって取り込まれた音声信号から1字ずつ文字を認識する文字認識手段１１１を含む構成であり、第２実施形態単語学習支援装置２０は、文字入力キー２４ａによって入力された文字列を認識する入力文字列認識手段２１１を含む構成である。
【００１８】
〈第１実施形態（音声入力）〉
図１は、第１実施形態における本発明の単語学習支援装置１０の構成を概略的に示すブロック図、図２Ａは、単語学習支援装置１０の正面図の一例、図２Ｂは、単語学習支援装置１０の底面図の一例である。
【００１９】
単語学習支援装置１０は、単語の音声データを再生出力すると共に当該単語のスペルを問う出題手段１１０と、マイク１４ａ及びマイク１４ａによって取り込まれた音声信号から1字ずつ文字を認識する文字認識手段１１１と、データベース１２に記憶されている単語のスペル情報と照合することにより、前記文字認識手段１１１により認識された文字によって特定される文字列（スペル）に関し、スペルの正誤判定を行う第１正誤判定手段１１２と、前記第１正誤判定手段１１２による判定結果を提示する第１提示手段１１３と、を必須の構成とする。
【００２０】
単語学習支援装置１０は、演算機能を有するＣＰＵ、作業用ＲＡＭ、各種データ及びプログラム（本発明の単語学習支援プログラムを含む）を記憶するＲＯＭ等から構成された本発明のコンピュータとしての制御部１１、単語のスペル情報等の各種情報を記憶するデータベース１２、単語のスペルを問う問題及び正誤判定結果をスピーカー１３ａから再生する再生出力部１３、マイク１４ａを具備し当該マイク１４ａから音声信号を取り込む音声入力部１４、モニタ等の表示画面１５ａを備える表示部１５、単語学習支援装置１０を操作するユーザからの操作指示を受け付け当該指示に応じた指示信号を制御部１１に対して与える操作部１６（例えば、ホームボタン、表示画面１５ａ上のタッチパネルを含む）、各種通信網（インターネット回線等を含む）を介して他の装置と通信を行なうための通信部１７を備えて構成されている。各構成部材は相互に接続されている。
【００２１】
制御部１１に含まれる算術論理演算ユニット及び各種レジスタ（プログラムカウンタ、データレジスタ、命令レジスタ、汎用レジスタ等）が、ＲＯＭに格納されているプログラム（例えば、通信部１７を介してスマートフォンにインストールされた本発明によるアプリケーション（単語学習支援プログラム））を解釈及び実行する。具体的には、操作部１６から受け付けた指示信号によってプログラムの開始が指示されることにより単語学習支援プログラムを実行する。
【００２２】
データベース１２は、単語データベース１２１と、文字波形データベース１２２等を記憶する。
図３Ａは、単語データベース１２１に記憶された単語データを示す図である。この単語のデータとしては、各単語とそのスペル（スペル情報）がそれぞれその単語の音声（音声データ）と対応付けて記憶されている。図３Ａの例では、さらに、各単語を表すイラスト、写真等に関する画像情報と、単語の訳が各単語に対応付けて記憶されている。
【００２３】
図３Ｂは、文字波形データベース１２２に記憶された文字波形データを示す図である。学習する外国語で使用するアルファベット（文字）の読みを表す音声が、各文字に対応付けて記憶されており、具体的には、文字の音声の波形データが記憶されている。図３Ｂの例では、英語の単語を学習する場合の文字波形データベース１２２の例であり、ＡからＺまでの２６文字と、その読み（「エー」、「ビー」、「シー」、「ディー」、…、「ワイ」、「ゼット」）を表す文字の音声の波形データが記憶されている。
【００２４】
単語データベース１２１に記憶される単語データは、「旅行編」、「接客編」、「大学受験」等の各種試験など、単語分類ごとに記憶する。これにより、単語学習をする際、学習範囲を選択可能に構成できる。図３Ａでは図示を簡単にするため単語分類の表記は省略している。
単語データベース１２１と文字波形データベース１２２を学習する言語ごとに用意することにより、本発明の単語学習支援装置１０を複数の言語の単語学習に適用することができる。
【００２５】
図４、図５は、第１実施形態における単語学習支援装置１０の単語学習支援処理に伴う表示動作を示す図である。
単語学習支援処理を開始し、テストモードにおけるテスト範囲の選択メニューにおいて、単語データベース１２１に記憶されている単語分類としての複数の学習範囲のうち、ユーザによって表示画面１５ａ上にて指でタッチする等により今回学習する範囲が選択されると、選択された学習範囲が制御部１１の作業用ＲＡＭ等に記憶される。図４の例では、「ランダム」が選択されたため、単語データベース１２１に記憶された「ランダム」に分類された単語データが学習範囲として選択される。「ランダム」には、例えば、いろいろなシチュエーション（旅行、接客、ビジネス、日常会話等）で使用される単語をランダムに所定個数まとめて「ランダム」として単語分類したものでもよく、あるいは、単語データベース１２１に記憶された全ての単語分類の単語データをランダムに抽出し、これら単語データ群を学習範囲として選択してもよい。ここでは、前者の「ランダム」として分類したものを例に説明する。
【００２６】
ユーザによって学習範囲が選択されると、「ランダム」に分類された単語データの最初の単語について、スペルを問う出題がされる。図４の例では、再生出力部１３のスピーカー１３ａから“How do you spell “house”？”（「ハウドゥーユースペル“ハウス”」）と、単語“ＨＯＵＳＥ”のスペルを問う音声（発問音声データ）が流れ出題される。
【００２７】
図４に示す例のように、表示画面１５ａ上にて「How do you spell?」と文字表示し、かつ、単語データベース１２１において単語に対応付けて記憶される単語を表すイラスト、写真等に関する画像４０を表示させてもよい。スピーカー１３ａの出力をオフにしている場合などに特に有用である。
また、単語の音声データ“house”に代えて、音声又は音声の少なくともいずれかにより、例えば、“How do you spell？”と出題し、単語を表す画像を表示してもよい。
【００２８】
次いで、ユーザがマイク１４ａに向かって問われた単語のスペルを一字ずつ発音して答える。図４の例では、単語“ＨＯＵＳＥ”のスペルを問われ、“「Ｈ」（エイチ）、「Ｏ」（オー）、「Ｕ」（ユー）、「Ｓ」（エス）、「Ｅ」（イー）”と、マイク１４ａに向かって答えると、その音声信号が装置内部に取り込まれ、制御部１１の文字認識手段１１１にて1字ずつ文字が認識される。具体的には、文字認識手段１１１が、取り込んだ音声信号を、文字波形データベース１２２に記憶された文字の波形データと比較して、文字を認識する。文字認識されると、順に、文字波形データベース１２２から認識された文字が抽出され、表示画面１５ａ上に表示される。
【００２９】
そして認識された文字によって特定される文字列、すなわち、スペルを、単語データベース１２１において単語に対応付けて記憶されているスペル情報と照合することによりスペルの正誤判定が行われ、判定の結果が提示される。判定結果の提示は、例えば、スペルが正しければ、スピーカー１３ａから“Correct!”と音声が流れ（図４）、スペルが誤りであれば、“Incorrect!”と音声が流れる（図５）。また、表示画面１５ａ上に○印５０や×印５１を表示して視覚的に正誤提示するよう構成してもよい。
判定の際、単語データベース１２１において単語に対応付けて記憶されているスペル情報を解答スペル５２として表示し、さらに、対応する訳５３を表示してもよい。
【００３０】
判定結果を提示した後、ユーザによって〈NEXT〉キー５４が選択され、次の単語へ進む指示がされると、単語データベース１２１内の学習範囲から、「ランダム」に分類された単語データの次の単語について、スペルを問う出題がされる。図４に示す例では、スピーカー１３ａから“How do you spell “book”？”（「ハウドゥーユースペル“ブック”」）と、単語“BOOK”のスペルを問う音声（発問音声データ）が出題される。
一方、ユーザによって〈REPEAT〉キー５５が選択され、繰り返し出題が指示されると、同じ単語が再度出題される。
【００３１】
図６は、第１実施形態における単語学習支援装置１０の制御部１１による単語学習支援処理動作例を説明するためのフローチャートである。ユーザが操作部１６を操作して、単語学習支援処理の開始を指示することにより、図６の処理が開始される。例えば、スマートフォン等である単語学習支援装置１０にインストールされた単語学習支援のアプリケーションが選択されることにより処理が開始される。
まず、ユーザによって学習範囲が選択されると（ステップＳ１）、次いで、制御部１１の出題手段１１０が、選択された学習範囲の最初の単語データを読み出して、スペルを問う問題を出題する（ステップＳ２）。
【００３２】
次に、ユーザがマイク１４ａに向かって問われた単語のスペルを一字ずつ発音して答え、音声入力を行うと（ステップＳ３）、文字認識手段１１１が、マイク１４ａを介して取り込んだ音声信号から１文字ずつ文字を認識する（ステップＳ４）。そして、文字波形データベース１２２から認識した文字を順に抽出し、表示画面１５ａ上に表示する（ステップＳ５）（図４、図５）。
【００３３】
制御部１１が、音声入力が終了したか否かを判定する（ステップＳ６）。例えば、所定時間以上音声入力がない場合に、音声入力終了と判定すればよい。判定の結果、音声入力が終了していない場合には（ステップＳ６：Ｎｏ）、ステップＳ３へ移行し、音声入力が終了するまでステップＳ３からステップＳ６の処理を繰り返す。
【００３４】
音声入力が終了した場合には（ステップＳ６：Ｙｅｓ）、第１正誤判定手段１１２が、ステップＳ４で認識された文字によって特定される文字列（スペル）を、単語データベース１２１において単語に対応付けて記憶されているスペル情報と照合して、スペルの正誤判定を行う（ステップＳ７）。
次いで、第１提示手段１１３が、ステップＳ７の判定結果を提示する（ステップＳ８）。
【００３５】
そして、ユーザにより繰り返し指示がされたか否かを判定し（ステップＳ９）、繰り返し指示がされた場合には（ステップＳ９：Ｙｅｓ）、ステップＳ２に戻り、同じ単語が再度出題される。一方、繰り返しが指示されていない場合には（ステップＳ９：Ｎｏ）、ステップＳ１０へ移行する。
【００３６】
ステップＳ１０にて、ユーザにより次の単語へ進む指示がされたか否かを判定し（ステップＳ１０）、次の単語へ進む指示がされた場合には（ステップＳ１０：Ｙｅｓ）、次の単語が読みだされ（ステップＳ１１）、ステップＳ２に戻り、同じ単語が再度出題される。一方、繰り返しが指示されていない場合には（ステップＳ１０：Ｎｏ）、ステップＳ１０へ移行する。
【００３７】
ステップＳ１０にて、次の単語データを読み出して、ステップＳ２へ戻り、次の単語のスペルを問う問題が出題される。所定時間が経過したとき、又はユーザによって終了が指示されると、プログラムを終了する。
【００３８】
以上のように、第１実施形態の単語学習支援装置１０によれば、単語のスペルを１字ずつ音声入力して、認識した文字列をスペル情報と照合して判定することにより、単語の学習効率を飛躍的に向上させることが可能になる。
【００３９】
〈第２実施形態（文字列入力）〉
第１実施形態では、単語のスペルを音声入力して一字ずつ文字を認識した。第２実施形態では、単語のスペルをキータッチにより入力して文字列を認識する構成について説明する。
図７は、第２実施形態における本発明の単語学習支援装置２０の構成を概略的に示すブロック図であり、図８は、第２実施形態における単語学習支援装置２０の単語学習支援処理に伴う表示動作を示す図であり、図９は、単語学習支援装置２０の制御部２１による単語学習支援処理動作例を説明するためのフローチャートである。単語学習支援装置２０の外観は単語学習支援装置１０と同じである（図２Ａ，図２Ｂ）。また、以下の説明における各部の構成、機能について、第１実施形態と同様である場合には、説明を省略する場合がある。
【００４０】
単語学習支援装置２０は、単語の音声データを再生出力すると共に当該単語のスペルを問う出題手段２１０と、文字入力キー２４ａによって入力された文字列を認識する入力文字列認識手段２１１と、入力文字列認識手段２１１により認識された文字列（スペル）に関し、データベース１２に記憶されている単語のスペル情報と照合することにより、スペルの正誤判定を行う第２正誤判定手段２１２と、第２正誤判定手段２１２による判定結果を提示する第２提示手段２１３と、を必須の構成とする。
【００４１】
単語学習支援装置２０は、演算機能を有するＣＰＵ、作業用ＲＡＭ、各種データ及びプログラム（本発明の単語学習支援プログラムを含む）を記憶するＲＯＭ等から構成された本発明のコンピュータとしての制御部２１、単語のスペル情報等の各種情報を記憶するデータベース１２、単語のスペルを問う問題及び正誤判定結果をスピーカー１３ａから再生する再生出力部１３、文字入力キー２４ａからの文字入力を受け付ける文字入力部２４、モニタ等の表示画面１５ａを備える表示部１５、単語学習支援装置２０を操作するユーザからの操作指示を受け付け当該指示に応じた指示信号を制御部２１に対して与える操作部１６（例えば、ホームボタン、表示画面１５ａ上のタッチパネルを含む）、各種通信網（インターネット回線等を含む）を介して他の装置と通信を行なうための通信部１７を備えて構成されている。各構成部材は相互に接続されている。
【００４２】
制御部２１に含まれる算術論理演算ユニット及び各種レジスタ（プログラムカウンタ、データレジスタ、命令レジスタ、汎用レジスタ等）が、ＲＯＭに格納されているプログラム（例えば、通信部１７を介してスマートフォンにインストールされた本発明によるアプリケーション（単語学習支援プログラム））を解釈及び実行する。具体的には、操作部１６から受け付けた指示信号によってプログラムの開始が指示されることにより単語学習支援プログラムを実行する。
【００４３】
データベース１２は、単語データベース１２１を記憶する。単語データベース１２１は、第１実施形態の単語データベース１２１（図３Ａ）と同様のため説明を省略する。
【００４４】
ユーザによって学習範囲が選択されると（ステップＳ２１）、単語データベース１２１に記憶された単語データのうち、選択された学習範囲が制御部２１の作業用ＲＡＭ等に記憶され、制御部２１の出題手段２１０が、最初の単語データを読み出して、スペルを問う問題を出題する（ステップＳ２２）。
【００４５】
次に、ユーザが、文字入力キー２４ａを操作して、問われた単語のスペルを入力すると（ステップＳ２３）、入力文字列認識手段２１１が、入力された文字列を認識する（ステップＳ２４）。入力された文字列は、表示画面１５ａ上の入力窓２４ｂに表示される（ステップＳ２５）（図８）。
【００４６】
そして、制御部２１が、文字入力が終了したか否かを判定する（ステップＳ２６）。例えば、所定時間以上文字入力がない場合、あるいは、〈ＧＯ〉キー２４ｃが選択された場合に、文字入力終了と判定すればよい。判定の結果、文字入力が終了していない場合には（ステップＳ２６：Ｎｏ）、ステップＳ２３へ移行し、文字入力が終了するまでステップＳ２３からステップＳ２６の処理を繰り返す。
【００４７】
文字入力が終了した場合には（ステップＳ２６：Ｙｅｓ）、第２正誤判定手段２１２が、ステップＳ２４で認識された文字列（スペル）を、単語データベース１２１において単語に対応付けて記憶されているスペル情報と照合して、スペルの正誤判定を行う（ステップＳ２７）。
【００４８】
次いで、第２提示手段２１３が、ステップＳ２７の判定結果を提示する（ステップＳ２８）。判定結果の提示の例は、第１実施形態と同様、例えば、スペルが正しければ、スピーカー１３ａから“Correct!”と音声が流れ（図４）、スペルが誤りであれば、“Incorrect!”と音声が流れる（図５）よう構成してもよい。また、表示画面１５ａ上に○印５０や×印５１を表示して視覚的に正誤提示するよう構成してもよい（図８）。
【００４９】
そして、ユーザにより繰り返し指示がされたか否かを判定し（ステップＳ２９）、繰り返し指示がされた場合には（ステップＳ２９：Ｙｅｓ）、ステップＳ２２に戻り、同じ単語が再度出題される。一方、繰り返しが指示されていない場合には（ステップＳ２９：Ｎｏ）、ステップＳ３０へ移行する。
【００５０】
ステップＳ３０にて、ユーザにより次の単語へ進む指示がされたか否かを判定し（ステップＳ３０）、次の単語へ進む指示がされた場合には（ステップＳ３０：Ｙｅｓ）、次の単語が読みだされ（ステップＳ３１）、ステップＳ２２に戻り、同じ単語が再度出題される。一方、繰り返しが指示されていない場合には（ステップＳ３０：Ｎｏ）、ステップＳ３０へ移行する。
【００５１】
ステップＳ３０にて、次の単語データを読み出して、ステップＳ２２へ戻り、次の単語のスペルを問う問題が出題される。所定時間が経過したとき、又はユーザによって終了が指示されると、プログラムを終了する。
【００５２】
以上のように、第２実施形態の単語学習支援装置２０によれば、単語のスペルを文字入力して、認識した文字列をスペル情報と照合して判定することにより、単語の学習効率を飛躍的に向上させることが可能になる。
【００５３】
上述した第１の単語学習支援装置１０及び第２実施形態の単語学習支援装置２０では、データベースを装置内部に設けたが、これに限らず、インターネット等の各種通信網によりアクセス可能な他の装置にデータベース内の単語データベース、文字波形データベースを備えてもよい。文字を認識する際、スペルを照合する際には、通信部１７を介してデータベースに都度アクセスしてもよく、ユーザによって学習範囲を選択したときに、通信部１７を介して単語データベースから選択された学習範囲の単語データを制御部の作業用ＲＡＭ等に記憶するよう構成してもよい。第１実施形態の場合には、単語学習支援処理開始時に、通信部１７を介して文字波形データベースの学習する言語の文字波形データを制御部の作業用ＲＡＭ等に記憶するよう構成してもよい。
【００５４】
〈連続再生学習モード〉
上述した第１の単語学習支援装置１０及び第２実施形態の単語学習支援装置２０を、単語データベースに記憶された単語を順番に、又は、ランダムにスペルを問う出題を再生しつづけるよう構成しても良い。複数の単語のスペル情報と、各単語の音声データと、単語のスペルを構成する各文字の音声データを対応付けて記憶する単語データベース２２１を設ける。図１０は、単語データベース２２１を示す図である。
【００５５】
制御部１１は、単語データベース２２１に記憶された単語を順番に、又は、ランダムに選択する選択し、選択された単語の音声データを含む当該単語のスペルを問う発問音声データと、単語のスペルを構成する各文字の音声データとを、再生出力部１３のスピーカー１３ａから再生出力する。この際、制御部１１は、単語の選択と、発問音声データと単語のスペルを構成する各文字の音声データの再生出力とから成る一連の選択再生動作が、繰り返し実行されるように制御する。
【００５６】
図示しないユーザ選択画面にて、「テストモード」、「学習モード」を選択できるよう構成する。「テストモード」が選択されると、上述した単語のスペル学習がスタートする。「学習モード」が選択されると、連続再生学習が開始する。
図１１は、連続再生学習モードの単語学習支援処理に伴う表示動作を示す図である。単語データベース２２１に記憶された単語のうち、ユーザによって選択された学習範囲の単語データのスペルを問う発問音声データと、単語のスペルを構成する各文字の音声データが繰り返し再生される。再生対象となる単語は、順に又はランダムに選択される。
【００５７】
図１１を用いて、ユーザによって選択された学習範囲「ランダム」に分類された単語データを順に選択する場合を例に説明する。
まず、最初の単語について、スペルを問う発問音声データ“How do you spell “house”？”（「ハウドゥーユースペル“ハウス”」）が再生される。次いで、その答えである、単語のスペルを構成する各文字の音声データ“「Ｈ」（エイチ）、「Ｏ」（オー）、「Ｕ」（ユー）、「Ｓ」（エス）、「Ｅ」（イー）”が再生される。
次いで、制御部１１により次の単語が選択され、スペルを問う発問音声データ“How do you spell “book”？”（「ハウドゥーユースペル“ブック”」）が再生される。次いで、その答えである、単語のスペルを構成する各文字の音声データ“「Ｂ」（ビー）、「Ｏ」（オー）、「Ｏ」（オー）、「Ｋ」（ケー）”が再生される。
【００５８】
以上のように、スペルを問う単語の音声を含む出題（発問音声データ）と、そのスペルを構成する各文字の音声が連続して次々に再生されるので、自動車の運転中等であっても単語の学習を行うことができる。
【００５９】
本発明の適用範囲は上述した構成に限定されることはない。本発明は、単語の音声を含むスペルを問う出題と、単語のスペルを一字ずつ学習する単語学習支援装置等に対し、広く適用することができる。
【符号の説明】
【００６０】
１０  単語学習支援装置
１１  制御部
１１０  出題手段
１１１  文字認識手段
１１２  第１正誤判定手段
１１３  第１提示手段
１２  データベース
１２１  単語データベース
１２２  文字波形データベース
２０  単語学習支援装置
２１  制御部
２１０  出題手段
２１１  入力文字列認識手段
２１２  第２正誤判定手段
２１３  第２提示手段
【図１】
2018066968.tif 000003
【図２Ａ】
2018066968.tif 000004
【図２Ｂ】
2018066968.tif 000005
【図３Ａ】
2018066968.tif 000006
【図３Ｂ】
2018066968.tif 000007
【図４】
2018066968.tif 000008
【図５】
2018066968.tif 000009
【図６】
2018066968.tif 000010
【図７】
2018066968.tif 000011
【図８】
2018066968.tif 000012
【図９】
2018066968.tif 000013
【図１０】
2018066968.tif 000014
【図１１】
2018066968.tif 000015
【手続補正書】
【提出日】平成29年3月31日(2017.3.31)
【手続補正１】
【補正対象書類名】特許請求の範囲
【補正対象項目名】全文
【補正方法】変更
【補正の内容】
【特許請求の範囲】
【請求項１】
単語の音声データを再生出力すると共に当該単語のスペルを問う出題手段と、
マイク及び前記マイクによって取り込まれた音声信号から1字ずつ文字を認識する文字認識手段と、
前記文字認識手段により認識された文字によって特定される文字列（スペル）に関し、複数の単語のスペル情報と、前記単語の音声データと、前記単語のスペルを構成する各文字の音声データと、を対応付けて記憶するデータベースに記憶されている前記単語のスペル情報と照合することにより、スペルの正誤判定を行う第１正誤判定手段と、
前記第１正誤判定手段による判定結果を提示する第１提示手段と、
前記データベースに記憶された単語を順番に、又は、ランダムに選択する選択手段と、
前記データベースを参照して、前記選択手段が選択した前記単語の音声データを含む前記単語のスペルを問う発問音声データと、前記単語のスペルを構成する各文字の音声データと、を再生出力する再生出力手段と、を有し、
更に、
前記選択手段と前記再生出力手段による選択再生動作が繰り返し実行されるよう制御する実行制御手段であって、
前記選択手段が前記単語を選択すると、
前記再生出力手段が前記選択手段により選択された前記単語のスペルを問う前記発問音声データを再生し、次いで、当該単語のスペルを構成する各文字の音声データを再生し、
次いで再び、
前記選択手段が前記単語を選択し、前記再生出力手段が前記選択手段により選択された前記単語のスペルを問う前記発問音声データを再生し、当該単語のスペルを構成する各文字の音声データを再生する、という一連の選択再生動作が繰り返し実行されるように制御する前記実行制御手段と、
を有することを特徴とする単語学習支援装置。
【請求項２】
単語の音声データを再生出力すると共に当該単語のスペルを問う出題手段と、
文字入力キーによって入力された文字列を認識する入力文字列認識手段と、
前記入力文字列認識手段により認識された文字列（スペル）に関し、複数の単語のスペル情報と、各前記単語の音声データと、前記単語のスペルを構成する各文字の音声データと、を対応付けて記憶するデータベースに記憶されている前記単語のスペル情報と照合することにより、スペルの正誤判定を行う第２正誤判定手段と、
前記第２正誤判定手段による判定結果を提示する第２提示手段と、
前記データベースに記憶された単語を順番に、又は、ランダムに選択する選択手段と、
前記データベースを参照して、前記選択手段が選択した前記単語の音声データを含む前記単語のスペルを問う発問音声データと、前記単語のスペルを構成する各文字の音声データとを再生出力する再生出力手段と、を有し、
更に、
前記選択手段と前記再生出力手段による選択再生動作が繰り返し実行されるよう制御する実行制御手段であって、
前記選択手段が前記単語を選択すると、
前記再生出力手段が前記選択手段により選択された前記単語のスペルを問う前記発問音声データを再生し、次いで、当該単語のスペルを構成する各文字の音声データを再生し、
次いで再び、
前記選択手段が前記単語を選択し、前記再生出力手段が前記選択手段により選択された前記単語のスペルを問う前記発問音声データを再生し、当該単語のスペルを構成する各文字の音声データを再生する、という一連の選択再生動作が繰り返し実行されるように制御する前記実行制御手段と、
を有することを特徴とする単語学習支援装置。
【請求項３】
前記出題手段は、前記単語の音声データを再生出力すると共に、又は、前記単語の音声データに代えて、前記単語を表す画像を表示して当該単語のスペルを問うことを特徴とする請求項１又は２に記載の単語学習支援装置。
【請求項４】
コンピュータを、請求項1乃至３のいずれか一項に記載の単語学習支援装置として機能させることを特徴とする単語学習支援プログラム。
【請求項５】
単語の音声データを再生出力すると共に当該単語のスペルを問う出題ステップと、
マイク及び前記マイクによって取り込まれた音声信号から1字ずつ文字を認識する文字認識ステップと、
前記文字認識ステップにより認識された文字によって特定される文字列（スペル）に関し、複数の単語のスペル情報と、各前記単語の音声データと、前記単語のスペルを構成する各文字の音声データと、を対応付けて記憶するデータベースに記憶されている前記単語のスペル情報と照合することにより、スペルの正誤判定を行う第１正誤判定ステップと、
前記第１正誤判定ステップによる判定結果を提示する第１提示ステップと、
前記データベースに記憶された単語を順番に、又は、ランダムに選択する選択ステップと、
前記選択ステップにて前記単語が選択されると、前記データベースを参照して、選択された前記単語の音声データを含む前記単語のスペルを問う発問音声データと、前記単語のスペルを構成する各文字の音声データとを、再生出力する再生出力ステップと、を有し、
更に、
前記選択ステップと前記再生出力ステップによる選択再生動作が繰り返し実行されるよう制御する実行制御ステップであって、
前記選択ステップにて前記単語が選択されると、
前記再生出力ステップにて前記選択ステップにて選択された前記単語のスペルを問う前記発問音声データを再生し、次いで、当該単語のスペルを構成する各文字の音声データを再生し、
次いで再び、
前記選択ステップにて前記単語の選択がされ、前記再生出力ステップにて前記選択ステップにて選択された前記単語のスペルを問う前記発問音声データを再生し、当該単語のスペルを構成する各文字の音声データを再生する、という一連の選択再生動作が繰り返し実行されるように制御する前記実行制御ステップと、
を有することを特徴とする単語学習支援方法。
【請求項６】
単語の音声データを再生出力すると共に当該単語のスペルを問う出題ステップと、
文字入力キーによって入力された文字列を認識する入力文字列認識ステップと、
前記入力文字列認識ステップにより認識された文字列（スペル）を、複数の単語のスペル情報と、各前記単語の音声データと、前記単語のスペルを構成する各文字の音声データと、を対応付けて記憶するデータベースに記憶されている前記単語のスペル情報と照合することにより、スペルの正誤判定を行う第２正誤判定ステップと、
前記第２正誤判定ステップによる判定結果を提示する第２提示ステップと、
前記データベースに記憶された単語を順番に、又は、ランダムに選択する選択ステップと、
前記選択ステップにて前記単語が選択されると、前記データベースを参照して、選択された前記単語の音声データを含む前記単語のスペルを問う発問音声データと、前記単語のスペルを構成する各文字の音声データとを、再生出力する再生出力ステップと、を有し、
更に、
前記選択ステップと前記再生出力ステップによる選択再生動作が繰り返し実行されるよう制御する実行制御ステップであって、
前記選択ステップにて前記単語が選択されると、
前記再生出力ステップにて前記選択ステップにて選択された前記単語のスペルを問う前記発問音声データを再生し、次いで、当該単語のスペルを構成する各文字の音声データを再生し、
次いで再び、
前記選択ステップにて前記単語の選択がされ、前記再生出力ステップにて前記選択ステップにて選択された前記単語のスペルを問う前記発問音声データを再生し、当該単語のスペルを構成する各文字の音声データを再生する、という一連の選択再生動作が繰り返し実行されるように制御する前記実行制御ステップと、
を有することを特徴とする単語学習支援方法。
【請求項７】
前記出題ステップにて、前記単語の音声データを再生出力すると共に、又は、前記単語の音声データに代えて、前記単語を表す画像を表示して当該単語のスペルを問うことを特徴とする請求項５又は６に記載の単語学習支援方法。
【手続補正２】
【補正対象書類名】明細書
【補正対象項目名】０００６
【補正方法】変更
【補正の内容】
【０００６】
本発明の単語学習支援装置は、単語の音声データを再生出力すると共に当該単語のスペルを問う出題手段、マイク及び前記マイクによって取り込まれた音声信号から1字ずつ文字を認識する文字認識手段と、前記文字認識手段により認識された文字によって特定される文字列（スペル）に関し、複数の単語のスペル情報と、前記単語の音声データと、前記単語のスペルを構成する各文字の音声データと、を対応付けて記憶するデータベースに記憶されている前記単語のスペル情報と照合することにより、スペルの正誤判定を行う第１正誤判定手段と、前記第１正誤判定手段による判定結果を提示する第１提示手段と、前記データベースに記憶された単語を順番に、又は、ランダムに選択する選択手段と、前記データベースを参照して、前記選択手段が選択した前記単語の音声データを含む前記単語のスペルを問う発問音声データと、前記単語のスペルを構成する各文字の音声データと、を再生出力する再生出力手段と、を有し、更に、前記選択手段と前記再生出力手段による選択再生動作が繰り返し実行されるよう制御する実行制御手段であって、前記選択手段が前記単語を選択すると、前記再生出力手段が前記選択手段により選択された前記単語のスペルを問う前記発問音声データを再生し、次いで、当該単語のスペルを構成する各文字の音声データを再生し、次いで再び、前記選択手段が前記単語を選択し、前記再生出力手段が前記選択手段により選択された前記単語のスペルを問う前記発問音声データを再生し、当該単語のスペルを構成する各文字の音声データを再生する、という一連の選択再生動作が繰り返し実行されるように制御する前記実行制御手段と、を有することを特徴とする。
【手続補正３】
【補正対象書類名】明細書
【補正対象項目名】０００７
【補正方法】変更
【補正の内容】
【０００７】
本発明の単語学習支援装置は、単語の音声データを再生出力すると共に当該単語のスペルを問う出題手段と、文字入力キーによって入力された文字列を認識する入力文字列認識手段と、前記入力文字列認識手段により認識された文字列（スペル）に関し、複数の単語のスペル情報と、各前記単語の音声データと、前記単語のスペルを構成する各文字の音声データと、を対応付けて記憶するデータベースに記憶されている前記単語のスペル情報と照合することにより、スペルの正誤判定を行う第２正誤判定手段と、前記第２正誤判定手段による判定結果を提示する第２提示手段と、前記データベースに記憶された単語を順番に、又は、ランダムに選択する選択手段と、前記データベースを参照して、前記選択手段が選択した前記単語の音声データを含む前記単語のスペルを問う発問音声データと、前記単語のスペルを構成する各文字の音声データとを再生出力する再生出力手段と、を有し、更に、前記選択手段と前記再生出力手段による選択再生動作が繰り返し実行されるよう制御する実行制御手段であって、前記選択手段が前記単語を選択すると、前記再生出力手段が前記選択手段により選択された前記単語のスペルを問う前記発問音声データを再生し、次いで、当該単語のスペルを構成する各文字の音声データを再生し、次いで再び、前記選択手段が前記単語を選択し、前記再生出力手段が前記選択手段により選択された前記単語のスペルを問う前記発問音声データを再生し、当該単語のスペルを構成する各文字の音声データを再生する、という一連の選択再生動作が繰り返し実行されるように制御する前記実行制御手段と、を有することを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１１
【補正方法】変更
【補正の内容】
【００１１】
本発明の単語学習支援方法は、単語の音声データを再生出力すると共に当該単語のスペルを問う出題ステップと、マイク及び前記マイクによって取り込まれた音声信号から1字ずつ文字を認識する文字認識ステップと、前記文字認識ステップにより認識された文字によって特定される文字列（スペル）に関し、複数の単語のスペル情報と、各前記単語の音声データと、前記単語のスペルを構成する各文字の音声データと、を対応付けて記憶するデータベースに記憶されている前記単語のスペル情報と照合することにより、スペルの正誤判定を行う第１正誤判定ステップと、前記第１正誤判定ステップによる判定結果を提示する第１提示ステップと、前記データベースに記憶された単語を順番に、又は、ランダムに選択する選択ステップと、前記選択ステップにて前記単語が選択されると、前記データベースを参照して、選択された前記単語の音声データを含む前記単語のスペルを問う発問音声データと、前記単語のスペルを構成する各文字の音声データとを、再生出力する再生出力ステップと、を有し、更に、前記選択ステップと前記再生出力ステップによる選択再生動作が繰り返し実行されるよう制御する実行制御ステップであって、前記選択ステップにて前記単語が選択されると、前記再生出力ステップにて前記選択ステップにて選択された前記単語のスペルを問う前記発問音声データを再生し、次いで、当該単語のスペルを構成する各文字の音声データを再生し、次いで再び、前記選択ステップにて前記単語の選択がされ、前記再生出力ステップにて前記選択ステップにて選択された前記単語のスペルを問う前記発問音声データを再生し、当該単語のスペルを構成する各文字の音声データを再生する、という一連の選択再生動作が繰り返し実行されるように制御する前記実行制御ステップと、を有することを特徴とする。
【手続補正６】
【補正対象書類名】明細書
【補正対象項目名】００１２
【補正方法】変更
【補正の内容】
【００１２】
本発明の単語学習支援方法は、単語の音声データを再生出力すると共に当該単語のスペルを問う出題ステップと、文字入力キーによって入力された文字列を認識する入力文字列認識ステップと、前記入力文字列認識ステップにより認識された文字列（スペル）を、複数の単語のスペル情報と、各前記単語の音声データと、前記単語のスペルを構成する各文字の音声データと、を対応付けて記憶するデータベースに記憶されている前記単語のスペル情報と照合することにより、スペルの正誤判定を行う第２正誤判定ステップと、前記第２正誤判定ステップによる判定結果を提示する第２提示ステップと、前記データベースに記憶された単語を順番に、又は、ランダムに選択する選択ステップと、前記選択ステップにて前記単語が選択されると、前記データベースを参照して、選択された前記単語の音声データを含む前記単語のスペルを問う発問音声データと、前記単語のスペルを構成する各文字の音声データとを、再生出力する再生出力ステップと、を有し、更に、前記選択ステップと前記再生出力ステップによる選択再生動作が繰り返し実行されるよう制御する実行制御ステップであって、前記選択ステップにて前記単語が選択されると、前記再生出力ステップにて前記選択ステップにて選択された前記単語のスペルを問う前記発問音声データを再生し、次いで、当該単語のスペルを構成する各文字の音声データを再生し、次いで再び、前記選択ステップにて前記単語の選択がされ、前記再生出力ステップにて前記選択ステップにて選択された前記単語のスペルを問う前記発問音声データを再生し、当該単語のスペルを構成する各文字の音声データを再生する、という一連の選択再生動作が繰り返し実行されるように制御する前記実行制御ステップと、を有することを特徴とする。
【手続補正７】
【補正対象書類名】明細書
【補正対象項目名】００１４
【補正方法】削除
【補正の内容】
【手続補正８】
【補正対象書類名】明細書
【補正対象項目名】００１７
【補正方法】変更
【補正の内容】
【００１７】
以下、本発明の実施の形態を説明する。なお、ここではスマートフォン等の携帯端末に本発明の単語学習支援装置を適用する場合について説明する。
第１実施形態の単語学習支援装置１０は、マイク１４ａ及びマイク１４ａによって取り込まれた音声信号から1字ずつ文字を認識する文字認識手段１１１を含む構成であり、第２実施形態の単語学習支援装置２０は、文字入力キー２４ａによって入力された文字列を認識する入力文字列認識手段２１１を含む構成である。